(57)【要約】閉ループに相当する光路を進行する光ビームを発生するようになっているリング・レーザ装置であって、このリング・レーザ装置には、誘導放出による光ビームの増幅のため、光路に結合されるレーザ利得媒質（１０）と、光路に沿って進行する光ビームに波長選択を施すため、光路に結合される波長フィルタ（５０）が含まれている。
2005529497.tif 000002
【特許請求の範囲】
【請求項１】
閉ループに相当する光路を進行する光ビームを発生するようになっているリング・レーザ装置であって、
前記光路に結合され、誘導放出による光ビームの増幅を行うレーザ利得媒質（１０）と、
前記光路に結合され、該光路に沿って進行する前記光ビームに対して波長選択を施す波長フィルタ（５０）と、
を具備するリング・レーザ装置。
【請求項２】
前記光路の光路長を変更するようになっている光路長変更素子（６０）をさらに具備する、請求項１に記載のリング・レーザ装置。
【請求項３】
前記光路長変更素子（６０）が、前記波長フィルタによって施される波長選択の変更と前記光路長との調整及び／または同調を行うため、前記波長フィルタ（５０）に結合されている、請求項２に記載のリング・レーザ装置。
【請求項４】
前記波長フィルタ（５０）と前記光路長変更素子（６０）との結合が、リットマン幾何学構成またはリトロー幾何学構成の一方の原理に従って、リング・レーザの幾何学構成を設計することによって施される、請求項３に記載のリング・レーザ装置。
【請求項５】
前記波長フィルタ（５０）と前記光路長変更素子（６０）との結合が、前記波長フィルタ（５０）並びに前記光路長変更素子（６０）の働きを制御する制御ユニットを用いて施される、請求項３または上述の請求項のいずれか１項に記載のリング・レーザ装置。
【請求項６】
前記制御ユニットの制御が、モード・ホッピングのほとんどない同調を実現するため、前記リング・レーザの前回の動作から導き出された所定のパラメータ設定に基づいている、請求項５に記載のリング・レーザ装置。
【請求項７】
前記制御ユニットが、発生する可能性のあるモード・ホッピングの兆候を検出するため、前記光ビームを直接モニタし、こうしたモード・ホッピングの発生を回避するため、対抗措置に着手する、請求項５または上述の請求項のいずれか１項に記載のリング・レーザ装置。
【請求項８】
前記対抗措置が、前記光路長を現在の波長フィルタ特性に合わせて調整することと、前記波長フィルタを前記現在の光路長に合わせて調整することとの少なくとも１つである、請求項７に記載のリング・レーザ装置。
【請求項９】
結果として、対応する光ビームの波長が変調されるように、前記光路長を調整するようになっている調整器と、
前記波長フィルタ（５０）の前記フィルタ特性の波長、できれば、局所的最大透過のようなフィルタ極値の波長からの、前記光ビームの波長の偏差を表わす誤差信号を得るようになっている信号解析ユニットと、
をさらに具備する、請求項１または上述の請求項のいずれか１項に記載のリング・レーザ装置。
【請求項１０】
前記光路の順方向に進行する主ビームが得られるようにするため、前記光路に結合された方向コントローラ（４０）をさらに具備する、請求項１または上述の請求項のいずれか１項に記載のリング・レーザ装置。
【請求項１１】
前記方向コントローラ（４０）が、前記順方向の逆方向に進行する逆方向ビームを前記順方向ビームに対して減衰させる、請求項１０に記載のリング・レーザ装置。
【請求項１２】
前記光路の一方向に進行する逆方向ビームが、前記光路の反対方向に進行する順方向ビームの少なくとも１つの特性を制御するために利用される、請求項１または上述の請求項のいずれか１項に記載のリング・レーザ装置。
【請求項１３】
前記逆方向ビームが、できれば、モード・ホッピングを低減、回避、または、誘発するため、前記順方向ビームの特性のモニタに利用される、請求項１２に記載のリング・レーザ装置。
【請求項１４】
前記逆方向ビームが、光パワーの弱いビームとして選択される、請求項１２または上述の請求項のいずれか１項に記載のリング・レーザ装置。
【請求項１５】
前記逆方向ビームの波長が変調されるように、前記逆方向ビームの前記光路長を調整するようになっている調整器と、
結果生じる前記逆方向モードの強度変動から、制御信号を導き出すようになっている信号解析ユニットと、
前記導き出された制御信号に基づいて、前記順方向ビームの波長に制御を施すため、前記導き出された制御信号を受信するようになっている順方向制御ユニットと、
をさらに具備する、請求項１２または上述の請求項のいずれか１項に記載のリング・レーザ装置。
【請求項１６】
前記順方向制御ユニットが、前記光路長と前記波長フィルタの最大透過波長の少なくとも一方を、前者については、前記波長フィルタ（５０）の波長特性の現在の設定によって前記順方向ビームの波長を変調するため、また、両者について、モード・ホッピングを回避または低減するために変更するようになっている、請求項１５に記載のリング・レーザ装置。
【請求項１７】
前記順方向ビームの波長に対して、前記逆方向ビームの波長をオフセットさせるようになっている波長オフセット・ユニットをさらに具備する、請求項１５または上述の請求項のいずれか１項に記載のリング・レーザ装置。
【請求項１８】
前記波長オフセット・ユニットが、前記順方向の光路長に対して、前記逆方向の光路長を変更するようになっている、請求項１７に記載のリング・レーザ装置。
【請求項１９】
前記波長オフセット・ユニットによって、前記光ビームが順方向および逆方向に少なくとも部分的に分離され、該分離されたビームの少なくとも一方の光路長が変更される、請求項１８に記載のリング・レーザ装置。
【請求項２０】
前記分離が、空間的に分離することと、少なくとも部分的に異なる偏光を利用するが、前記逆方向ビーム及び前記順方向ビームに関して幾何学光路を同じに保つことのうちの少なくとも一方によって施される、請求項１８に記載のリング・レーザ装置。
【請求項２１】
前記光路長の変更が、少なくとも部分的に屈折率または前記幾何学光路長を変更することと、両方のビームの偏光状態が異なるその光路部分に複屈折素子を利用することのうちの少なくとも一方によって施される、請求項１８または上述の請求項のいずれか１項に記載のリング・レーザ装置。
【請求項２２】
前記波長フィルタ（５０）のフィルタ最大からの前記主ビームの偏差の変化方向を検出するようになっている方向検出器をさらに具備する、請求項１７または上述の請求項のいずれか１項に記載のリング・レーザ装置。
【請求項２３】
前記順方向モードの波長が前記波長フィルタのフィルタ最大点波長とほぼ一致する場合に、前記逆方向モードの波長が、前記フィルタ特性が波長に対してより強い依存性を示す範囲内で選択されるやり方で、前記順方向ビームと前記逆方向ビームの波長間におけるオフセットが選択される、請求項１７または上述の請求項のいずれか１項に記載のリング・レーザ装置。
【請求項２４】
前記方向検出器が、前記逆方向ビームの強度変動の推移、または、順方向ビームと逆方向ビームの強度比の変化のうちの少なくとも一方に基づいて、前記フィルタ最大からの偏差の方向変化を検出するようになっている、請求項２２または上述の請求項のいずれか１項に記載のリング・レーザ装置。
【請求項２５】
入射ビームを受光し、それに応えてビームを反射するようになっている平行反射素子（６０、７０）さらに備え、その結果、反射ビームが、前記入射ビームとほぼ平行であるが、前記入射ビームから空間的に分離される、請求項１または上述の請求項のいずれか１項に記載のリング・レーザ装置。
【請求項２６】
前記平行反射素子（６０、７０）が、適切な配置を施された反射表面、レンズと反射表面の組み合わせ、少なくとも２つの組み立て平面鏡、少なくとも１つの円形または円筒形レンズ、及びミラー、二面体素子、三面体素子、反射メカニズムが、屈折率が高値から低値に変化する界面において全反射であり、入射角が全反射の角度を超えるプリズム、及び／または、３つの反射板を有し、そのうちの２つが平行に配置され、１つが該平行反射板に対して垂直に配置されて、前記反射ビームが、前記入射ビームに対して平行であるが、逆方向に伝搬するようになっている再帰反射体、のうちの少なくとも１つを含む、請求項２５に記載のリング・レーザ装置。
【請求項２７】
前記平行反射素子（６０、７０）の反射表面が、入射ビームと出射ビームとの間の空間的分離を確保するため、前記光ビームの入射面積に対して、広い面積になるように設けられる、請求項２５または上述の請求項のいずれか１項に記載のリング・レーザ装置。
【請求項２８】
２つの平行反射素子（６０、７０）が、該平行反射素子（６０、７０）の第１の素子から送り出されるビームが、前記平行反射素子の第２の素子によって受光され、空間的に分離された状態で、前記平行反射素子の前記第１の素子に戻されるように配置されており、その結果、前記リング共振器の閉ループが得られる、請求項２５または上述の請求項のいずれか１項に記載のリング・レーザ装置。
【請求項２９】
前記閉ループ全体にわたるように配置された２つの平行反射素子（６０、７０）を具備する、請求項２５または上述の請求項のいずれか１項に記載のリング・レーザ装置。
【請求項３０】
前記波長フィルタ（５０）が、前記光路内に配置されており、前記リング共振器内の１つのループを進行する前記光ビームが、少なくとも１回は、前記波長フィルタを通過するようになっている、請求項１または上述の請求項のいずれか１項に記載のリング・レーザ装置。
【請求項３１】
前記リング共振器の前記光路内の前記レーザ・ビームの一部を外部と結合するための出力（９０、１００、１１０、１２０）をさらに具備する、請求項１または上述の請求項のいずれか１項に記載のリング・レーザ装置。
【請求項３２】
前記出力（９０、１００、１１０、１２０）が、前記レーザ・ビームの一部を外部と結合するため、前記光路に導入されるビーム・スプリッタ（８０）を含む、請求項３１に記載のリング・レーザ装置。
【請求項３３】
前記波長フィルタを少なくとも１度通過した後、前記レーザ媒質（１０）に戻る前に、前記順方向ビームの一部を外部と結合するため、前記ビーム・スプリッタ（８０）が前記光路に導入される、請求項３２に記載のリング・レーザ装置。
【請求項３４】
前記出力（９０、１００、１１０、１２０）が、前記波長フィルタとして用いられる回折格子によって生じる０次ビームと、少なくとも部分的に透過性の少なくとも１つの反射表面との少なくとも一方によって得られる、請求項３１に記載のリング・レーザ装置。
【請求項３５】
前記平行反射素子（６０、７０）が、前記光路を進行する前記ビームの一部を外部と結合するための少なくとも１つの反射表面を備えている、請求項２５または上述の請求項のいずれか１項に記載のリング・レーザ装置。
【請求項３６】
前記波長フィルタが、回折格子（５０）から構成されることと、
前記回折格子（５０）からの第１の回折ビームが、該第１の回折ビームに対してほぼ平行であるが、それから空間的に分離されている、前記回折格子（５０）に向かう第１の戻りビームを生じるようになっている前記第１の平行反射素子（６０）の入力に送られることと、
前記第１の戻りビームが、前記回折格子（５０）に向かって送られ、前記回折格子によって回折されて、２度回折されたビームとして、第２の平行反射素子（７０）に送られることと、
前記第２の平行反射素子（７０）が、前記２度回折されたビームを受光して、それに対して平行であるが、空間的にそれから分離されたビームを前記回折格子に送ることによって、前記リング共振器のループを閉じるように構成されている、
請求項１または上述の請求項のいずれか１項に記載のリング・レーザ装置。
【請求項３７】
前記２つの平行反射素子（６０、７０）及び前記回折格子（５０）の少なくとも１つの素子が、前記２つの平行反射素子と前記回折格子によって形成される光学面の交差によって理論的に決まる回転軸まわりを少なくとも部分的に回転することができるように設けられる、請求項３６に記載のリング・レーザ装置。
【請求項３８】
前記理論的に決まる回転軸からの実際の回転軸の偏差を補償するようになっている少なくとも１つの補償器をさらに具備する、請求項３６または上述の請求項のいずれか１項に記載のリング・レーザ装置。
【請求項３９】
前記補償が、モードを選択するためのフィルタ曲線の変更と、リング共振器の光路長の変更の少なくとも一方によって施される、請求項３８に記載のリング・レーザ装置。
【請求項４０】
前記フィルタ曲線の変更が、少なくとも１つのレーザ・モードを選択するための分散素子を移動させること、分散素子の分散特性を変更すること、前記分散素子の周期性を変更すること、前記分散素子に入射するビームの方向を変更すること、再帰反射分散素子を移動させること、のうちの少なくとも１つによって施される、請求項３９に記載のリング・レーザ装置。
【請求項４１】
前記光路長の変更が、空洞共振構成要素の１つを移動させて、前記幾何学光路長を変化させること、前記平行反射素子の少なくとも１つを移動させること、前記光ビームに対してほぼ垂直に光学楔のような光学素子を移動させること、外部パラメータによって、前記空洞共振構成要素の少なくとも１つの光路長を制御すること、外部パラメータによって、光学アクティブ軸の配向を制御すること、のうちの少なくとも１つによって施される、請求項３９に記載のリング・レーザ装置。
【発明の詳細な説明】
【技術分野】
【０００１】
本発明は、波長可変レーザに関するものである。
【背景技術】
【０００２】
光通信産業では、例えば、波長の異なるレーザによってコンポーネント及び増幅器をテストすることが必要とされている。このために、さまざまなタイプのレーザ空洞共振器が既知のところである。
【０００３】
波長可変レーザについては、例えば、いわゆるリットマン幾何学構成として、Ｌｉｕ及びＬｉｔｔｍａｎ、「Ｎｏｖｅｌ  ｇｅｏｍｅｔｒｙ  ｆｏｒ  ｓｉｎｇｌｅ−ｍｏｄｅ  ｓｃａｎｎｉｎｇ  ｏｆ  ｔｕｎａｂｌｅ  ｌａｓｅｒｓ」、Ｏｐｔｉｃａｌ  Ｓｏｃｉｅｔｙ  ｏｆ  Ａｍｅｒｉｃａ、１９８１年に、あるいは、いわゆるリトロー幾何学構成として、欧州特許第０  ９５２  ６４３Ａ２号明細書に解説がある。ブラッグ反射器タイプの空洞共振器については、例えば、Ａ．Ｎａｈａｔａ他、「Ｗｉｄｅｌｙ  Ｔｕｎａｂｌｅ  Ｓｅｍｉｃｏｎｄｕｃｔｏｒ  Ｌａｓｅｒ  Ｕｓｉｎｇ  Ｄｙｎａｍｉｃ  Ｈｏｌｏｇｒａｐｈｉｃａｌｌｙ−Ｄｅｆｉｎｅｄ  Ｄｉｓｔｒｉｂｕｔｅｄ  Ｂｒａｇｇ  Ｒｅｆｌｅｃｔｏｒ」、ＩＥＥＥ、２０００年に示されている。これらの文献の教示は、参考までに本明細書において援用される。
【発明の開示】
【０００４】
本発明の目的は、波長可変レーザのための代替解決法を提供することにある。この目的は、独立請求項によって解決される。従属請求項によって、望ましい実施態様が示される。
【０００５】
本発明によるリング・レーザ装置は、閉ループに相当する光路を進行する光ビームを発生するようになっている。誘導放出による光ビームの増幅のため、レーザ利得媒質が、光路に結合される。レーザ媒質によって得られるビームが平行化済みでなければ、コリメート素子を設けることも可能である。リング・レーザには、さらに、光路に沿って進行する光ビームに対して波長選択を施すため、光路内に結合された波長フィルタも含まれている。
【０００６】
リング共振器内の共振条件は、閉ループに沿った１ラウンド・トリップにわたる光路長が、共振波長の整数倍にならなければならないということである（例えば、２つのエンド・ミラー間の光路長が波長の二分の一の整数倍にならなければならないエンド・ミラー・タイプのレーザ共振器の共振条件とは対照的に）。リング共振器内に進行波が存在するという事実によって、一部のレーザ利得媒質に生じる空間的なホール・バーニング効果が回避される（例えば、エンド・ミラー・タイプのレーザ共振器における定在波とは対照的に）。
【０００７】
望ましい実施態様の場合、リング・レーザには、さらに、光路の光路長（幾何学光路長及び光路内の各素子の屈折率によって決まる）を変更できるようにする光路長変更素子が含まれている。光路長変更素子は、波長フィルタによって施される波長選択の変更と光路長との調整及び／または同調を行うため、波長フィルタに結合されるのが望ましい。従って、例えば、光ビームの波長同調時に生じるモード・ホッピングを低減させるか、または、回避することさえ可能である。
【０００８】
波長フィルタと光路長変更素子との結合は、例えば、前述の幾何学構成の一方（リットマン幾何学構成またはリトロー幾何学構成が望ましい）の原理に従って、リング・レーザの幾何学構成を設計することによって、波長フィルタ並びに光路長変更素子の働きを制御する（できれば、両方の間の同期がとれるようにするため）制御ユニットを用いることによって、または、これらの組み合わせによって施すことが可能である。こうした制御ユニットは、例えば、モード・ホッピングのほとんどない同調を実現するため、例えば、リング・レーザの前回の動作から導き出された既定のパラメータ設定に基づくことが可能である。代わりに、または、それに加えて、制御ユニットは、その教示が参考までに本明細書において援用される、同じ出願人による国際特許出願第ＰＣＴ／ＥＰ０２／０４７３６号に開示のように具現化することも可能である。
【０００９】
代わりに、または、それに加えて、制御ユニットは、発生する可能性のあるモード・ホッピングの兆候を検出するため、光ビームを直接モニタし、こうしたモード・ホッピングの発生を回避するため、適切な対抗措置に着手することが可能である。こうした対抗措置は、光路長を現在の波長フィルタ特性に合わせて調整することと、波長フィルタを現在の光路長に合わせて調整することの少なくとも一方とすることが可能である。さらに後述する望ましい実施態様の場合、光路長は、波長フィルタのフィルタ特性の波長（望ましくは、例えば、フィルタの局所的最大透過が生じる波長のような、フィルタ極値の波長）からの、光ビームの波長（望ましくは、主モードの波長）の偏差を表わす誤差信号を得るため、結果として、対応する光ビームの波長変調が生じるようように調整される。
【００１０】
光路のループに沿って進行する光ビームの向きに影響しないようにして、例えば、モード競合の影響下において、ある方向がより優勢になるようにすることが可能である。より理解しやすくするため、優勢な方向は、下記において、順方向と呼ばれ、劣勢な方向は、下記において逆方向と呼ばれるものとする。従って、順方向ビームは、順方向に進行する光ビームを表わし、逆方向ビームは、逆方向に進行する光ビームを表わすことになる。
【００１１】
リング共振器内において行われるモード選択の場合、順方向と逆方向の光路長が同じであると仮定すると、両方とも、同じ波長であるが、伝搬方向が逆の、順方向モード（すなわち、順方向に進行する主モード）及び逆方向モード（すなわち、逆方向に進行する主モード）が、生じる可能性がある。モード競合の影響下において、通常は、モードの一方が、優勢になり、もう一方よりも、強度がかなり高くなる。上記命名規則に従って、優勢なモードは、下記において、順方向モードと呼ばれ、劣勢なモードは、下記において、逆方向モードと呼ばれるものとする。
【００１２】
実施態様の１つでは、必ず同じ方向に順方向モードが生じるようにするため（または、換言すれば、順方向がある決められた方向になるように定義するため）、光路内に方向コントローラが設けられている。これは、例えば、順方向ビームに対して逆方向ビームを減衰させることによって実現可能である。
【００１３】
望ましい実施態様の１つでは、逆方向ビーム（できれば逆モード）を利用して、順方向ビームの少なくとも１つの特性が制御される。逆方向ビームと順方向ビームとの間には、既知の関係が存在するので、例えば、モード・ホッピングを低減させるか、回避するか、または、誘発するために、逆方向ビームを利用して、順方向ビームの特性をモニタすることもできるし、あるいは、その逆を行うことも可能である。制御目的には、光パワーの弱いビームを利用するのが望ましい。ここでは、解説のため、逆方向ビームは、光パワーが弱く、制御目的に用いられるものと仮定することにする。
【００１４】
実施態様の１つでは、順方向モードの光路長を調整せずに、逆方向モードの光路長が、調整されるので、結果として、逆方向モードの波長変調だけが行われることになり、結果生じる逆方向モードの強度変動から制御信号を導き出すことが可能になる。一般に、ある波長値において少なくとも１つの最大透過を生じ、波長範囲にわたって透過作用が弱まる、波長フィルタのフィルタ曲線の特性から、逆方向モードのこうした強度の相違が生じる。逆方向モードの波長を変調する場合、その強度が、相応に、波長フィルタの波長特性によって変調されることになる。従って、既知の制御機構（例えば、決定された偏差から制御または誤差信号を導き出す）を用いることによって、例えば、波長フィルタのフィルタ特性の最大からの順方向モードの波長の偏差を制御することが可能になる。こうした決定された偏差を利用して、波長フィルタの波長特性の現在の設定によって選択された主モード（例えば、順方向モード）の波長を変調するため（例えば、モード・ホッピングを回避するか、または、低減させるため）、例えば、光路長を変更することもできるし、あるいは、前記偏差を利用して、同じ目的のために、波長フィルタの最大透過点波長を変更することも可能である。
【００１５】
もう１つの実施態様では、逆方向モードの波長が、順方向モードの波長に対してオフセットしている。これは、例えば、順方向における光路長に対して逆方向における光路長を変更することによって実現可能である。これは、例えば、順方向と逆方向において光ビームを少なくとも部分的に分離し、分離したビームの少なくとも一方の光路長を変更することによって実現可能である。この分離は、空間的に実施することが可能であり、この変更は、屈折率または幾何学光路長を少なくとも部分的に変更することによって実施可能である。さらに、または、代わりに、この変更は、少なくとも部分的に異なる偏光を利用するが、逆方向及び順方向ビーム／モードに関して幾何学光路を同じに保つことによって、実施可能である。次に、光路長の変更は、例えば、両モードで異なる偏光が利用されるその光路部分における複屈折素子によって実現可能である。次に、光路長の差は、逆方向及び順方向ビーム／モードによって利用される偏光の屈折率の差によって生じる。
【００１６】
次に、順方向及び逆方向ビーム／モード間におけるこうした波長オフセットを利用して、フィルタの最大からの主モードの偏差の変化方向を検出することが可能である。順方向モードの波長がフィルタ最大の波長とほぼ一致する場合、逆方向モードの（オフセット）波長が、フィルタ特性が立ち下がりエッジまたは立ち上がりエッジを（従って、波長に対してより強い依存性を）示す範囲内で選択されるやり方で、順方向モードと逆方向モードの波長間のオフセットを選択するのが望ましい。従って、波長のわずかな変動が、立下りまたは立ち上がりエッジによって「増幅」されて、逆方向モードの変調強度または非変調強度になり、フィルタ最大からの偏差方向が、逆方向モード強度の変動推移から、または、順方向モードと逆方向モードの強度比の変化から明確に求めることが可能である。
【００１７】
望ましい実施態様の１つでは、リング共振器に、少なくとも１つの平行反射素子が含まれている。各平行反射素子は、入射ビームを受光して、ビームを反射するが、これにより、反射ビームは、入射ビームとほぼ平行になるが、空間的に分離される。各平行反射素子は、例えば、少なくとも２つの組み立て平面鏡、または、少なくとも１つの円形または円筒形レンズとミラーによる、または、当該技術において既知の固体素子としての、反射表面（例えば、ミラー）またはレンズ及びミラーの組み合わせを適切に配置することによって設けることが可能である。調整を容易にするため、互いに対してほぼ固定表面をなし、その結果、互いに対して、及び、ビームに対して、反射表面の角度のアライメントをとる労力が軽減されるという利点を備えた、二面体素子または三面体素子を利用することが可能である。二面体素子及び三面体素子は、反射メカニズムが、屈折率が高値から低値に変化する界面において全反射であり、入射角が全反射の角度を超えるプリズムとすることが可能である。あるいはまた、二面体素子及び三面体素子は、反射メカニズムとして金属または誘電体反射を用いて、光路の一部が屈折率の高い材料の内部になくてもすむようにすることも可能である。もう１つの望ましい実施態様の場合、平行反射素子は、その教示が参考までに本明細書において援用される、同じ出願人による国際出願第ＰＣＴ／ＥＰ０２／０１４３３号に開示の再帰反射素子として設けることが可能である。
【００１８】
各平行反射素子の反射表面は、入射ビームと出射ビームとの空間的分離を確保するため、光ビームの入射面積に対して広い面積になるように設けるのが望ましい。
【００１９】
実施態様の１つでは、２つの平行反射素子が、平行反射素子の第１の素子から送り出されたビームが、平行反射素子の第２の素子によって受光され、空間的に分離された状態で、平行反射素子の第１の素子に戻されるように配置されており、その結果、リング共振器の閉ループが得られる。換言すれば、閉ループ全体にわたるように、２つの平行反射素子を設けることが可能である。言うまでもなく、こうして得られるループ内に、他のコンポーネントを配置することも可能である。
【００２０】
波長フィルタは、リング共振器内のループの１つを進行する光ビームが１回だけ波長フィルタを通過するように、光路内に配置されている。しかし、波長フィルタは、光ビームが、各ループ毎に、波長フィルタを２回通過するように配置するのが望ましい。これは、例えば、波長フィルタの両側で受光する両方のビームが互いにほぼ平行になるようにすることによって、及び、両方のビームを受光するに十分なほど大きい表面を波長フィルタに設けることによって実現可能である。これは、とりわけ、ループ全体にわたるように、２つの平行反射素子による前述の構成を利用する場合に、実現可能である。
【００２１】
光路内のほぼ任意の場所に、リング共振器内のレーザ・ビームの一部を外部に結合するための１つ以上の出力を設けることが可能である。レーザ・ビームの一部を外部に結合するため、１つ以上のビーム・スプリッタを光路内に導入することができるのが望ましい。望ましい実施態様の場合、順方向ビームの一部は、波長フィルタを少なくとも１度通過した後、レーザ媒質に戻る前に、外部に結合される。順方向ビームの方向を制御し、逆方向ビームを抑制することによって（例えば、モード競合によって自動的に行われない場合）、ビーム・スプリッタにおける外部との望ましくない逆方向の結合に起因して光ビームを弱めることなく、波長フィルタによる波長純化ビームが得られることになる。
【００２２】
外部との結合のもう１つのオプションは、波長フィルタとして用いられる回折格子によって得られる０次ビームを利用することである。もう１つのオプションは、少なくとも部分的に透過性の反射表面を少なくとも１つ設けることである。平行反射素子のうちの少なくとも１つの素子の少なくとも１つの反射表面は、外部との結合に用いることができるのが望ましい。しかし、機械的作業量を減らすため、外部との結合には、固定コンポーネントを用いるのが望ましい。
【００２３】
もう１つの望ましい実施態様では、リング共振器の設計は、前述のリットマンのアーキテクチャに従う。その実施態様では、波長フィルタは回折格子で構成される。回折格子からの回折ビームは、第１の平行反射素子の入力に送られ、第１の平行反射素子によって、回折格子からのビームとほぼ平行であるが、空間的に分離されたビームが回折格子に戻されることになる。
【００２４】
第１の平行反射素子によって受光されるビームと平行であるが、それに対して空間的に分離された、平行反射素子からのビームは、再び、回折格子に向かって送られ、回折格子が最初に受光したビームと平行であるが、伝搬方向が逆で、空間的に分離されているこのビームが、回折されることになる。第２の平行反射素子は、回折格子からこうして２度回折されたビームを受光して、それに対して平行であるが、空間的に分離されたビームを回折格子に向けて送り、この結果、リング共振器のループが閉じることになる。
【００２５】
リットマンの幾何学構成に従って、回転軸（２つの平行反射素子及び回折格子によって形成される光学面の交差によって決まる）まわりで２つの平行反射素子及び回折格子の少なくとも１つの素子を回転させると、理論的には、モード・ホッピングを生じることなくリング共振器の波長を連続して同調させることが可能になる。理論的に決まる回転軸からの実際の回転軸の偏差は、例えば、モードを選択するためのフィルタ曲線を変更することによって補償することが可能である。こうしたフィルタ曲線の変更は、例えば、少なくとも１つのレーザ・モードを選択するための分散素子を移動させること（例えば、前述の欧州特許出願第０１１１３３７１．７号に開示のように）、例えば、分散素子の周期性を変更することによって、分散素子の分散特性を変更すること、再帰反射分散素子を移動させることによって、分散素子に入射するビームの方向を変更すること、等のうちの少なくとも１つによって実現可能である。
【００２６】
さらに、または、代わりに、理論的に決まる回転軸からの実際の回転軸の偏差は、例えば、リング共振器の光路長を変更することによって補償することが可能である。これは、例えば、空洞共振素子の１つを移動させて、幾何学光路長を変化させること（例えば、平行反射素子の少なくとも一方を移動させることによって）、光ビームに対してほぼ垂直な光学楔のような光学素子を移動させること、外部パラメータ（印加電界または磁界、温度、一軸圧または静水圧のような）によって、空洞共振素子の少なくとも１つの光路長を制御すること、外部パラメータによって、光学活性軸の配向を制御すること等のうちの少なくとも１つによって実施可能である。
【００２７】
もう１つの望ましい実施態様では、リング共振器の設計は、前述のリトローのアーキテクチャの原理に従う。その実施態様では、分散素子は、入射ビームを自身内へ反射する素子の働きをする。反射ビームを空間的にオフセットさせるため、望ましい実施態様の１つによれば、わずかに傾斜した反射格子を分散素子として利用して、三角形のループ幾何学形状が得られる。もう１つの実施態様では、ビームは、分散素子による反射後、空間的に分離される。あるいはまた、２つの分離されたビームは、互いにほぼπ／２だけ回転させ（できれば、ファラデー回転させ）、偏光ビーム・コンバイナによって結合させることが可能である。両方の分離ビームが結合した後、偏光がほぼ−π／４だけ逆回転させられ、リトロー幾何学構成をなす分散反射素子が用いられる。
【００２８】
本発明は、任意の種類のデータ・キャリアに記憶するか、または、それらによって別様に提供することが可能であり、任意の適合するデータ処理装置内で／によって実行することが可能な、１つ以上の適合するソフトウェア・プログラムによって部分的または完全に支援することが可能である。ソフトウェア・プログラムまたはルーチンは、光路長の偏差、及び／または、モード・ホッピングのない同調を支援する値から波長選択素子の選択波長を計算するため、及び、１つ以上の同調素子の補正値を計算して、光路長、及び／または、波長選択素子の選択波長を再調整するために用いるのが望ましい。
【００２９】
本発明の他の目的及び付随する利点の多くは、添付の図面と関連づけて検討すれば、下記の詳細な説明を参照することによって、評価が容易になり、理解が深まることであろう。ほぼ、または、機能的に等しいか、あるいは、同様の特徴については、同じ参照番号で言及されることになる。
【発明を実施するための最良の形態】
【００３０】
（発明の詳細な説明）
図１の場合、レーザ媒質１０は、その小端面のそれぞれの側からレーザ・ビームを放出する。２つのレーザ・ビームは、まだ平行化されていなければ、コリメート素子（レンズのような）２０及び３０によって平行化される。レーザ・ビーム媒質１０は、半導体レーザ・チップが望ましいが、イオン・ドープした結晶または色素セルのような他のタイプを適宜用いることも可能である。
【００３１】
ここで、図１の機能を、レーザ媒質１０から始めて、反時計廻り（順方向と呼ばれる）に進行する（順方向）レーザ・ビーム（図１Ａ）に関して紹介する。コリメート素子２０によって平行化された後、ビームは、その機能については後で例示される、オプションの方向コントローラ４０を通過する。方向コントローラ４０の後、ビームは、図１では、回折格子によって具現化されている、波長フィルタ５０に入射する。しかし、プリズム、エタロンまたは複屈折フィルタのような一次元フィルタ（出射ビームと入射ビームが、ほぼ１つの直線内にある）、または、他の任意の分散素子のような、他のタイプの波長フィルタ５０を適宜用いることが可能であるが、とりわけ、連続波長可変性が得られるようにするには、異なる幾何学構成が必要になる可能性がある。
【００３２】
方向コントローラ４０からのビームは、回折格子５０によって回折され、第１の平行反射素子６０に対して送り出される。第１の平行反射素子６０は、回折格子５０からビームを受光すると、ビームを反射して回折格子５０に向けて戻し、その結果、反射ビームは、入射ビームとほぼ平行になるが、空間的に分離されることになる。平行反射素子６０は、図１に示す二面体素子、または、互いに直交するように配置された１組の平面ミラーのような、さまざまな種類の構成によって具現化することが可能である。
【００３３】
平行反射素子６０から戻るビームは、再び、回折格子５０によって回折される。平行反射素子６０へのビーム及び平行反射素子６０からのビームは、両方とも、互いにほぼ平行であるため、回折格子５０における回折角も、図１Ｂに例示のようにほぼ等しくなる。
【００３４】
回折格子５０によって２度回折された後、ビームは、第１の平行反射素子６０とほぼ同じ特性を備えることが可能な第２の平行反射素子７０に対して送り出される。第２の平行反射素子７０は、レーザ媒質１０に向かってビームを反射し、その結果、反射ビームは、第２の平行反射素子７０によって受光される２度回折されたビームとほぼ平行になるが、伝搬方向が逆で、空間的に分離されることになる。従って、光リング共振器に相当する、光学閉ループが形成されることになる。
【００３５】
リング共振器からの光を外部に結合するため、さまざまなオプションが可能であり、図１に、その一部が例示されている。第１のオプションは、光路内のほぼ任意の場所に光ビーム・スプリッタ８０を設けることである。スペクトル純度の高い出射ビーム９０が得られるようにするため、ビーム・スプリッタ８０は、図１Ａに示すように、ビームが波長フィルタ５０を２回通過した後、レーザ媒質１０にもう一度入射する前の位置に配置される。入射順方向ビームに対する出射ビーム９０の部分は、それぞれの要件に適合するように設計されたビーム・スプリッタ８０の結合比によって決まる。
【００３６】
上述のところに従って、時計廻り方向（今後は逆方向と呼ぶ）に進行する（逆方向）ビームが、レーザ媒質１０によって（オプションの）コリメート素子３０に向かって放出され、第２の平行反射素子７０によって空間的に分離されて、波長フィルタ５０の最初の通過を行い、第１の平行反射素子６０によって反射されて、空間的に分離され、波長フィルタ５０の２度目の通過を行い、方向コントローラ４０を通過すると、最終的には、コリメート素子２０によってレーザ媒質１０に焦点を合わせて、送り返される。
【００３７】
従って、ビーム・スプリッタ８０を通過する逆方向ビームの一部は、順方向ビームの場合とほぼ同じ結合比で、出射ビーム１００として外部に結合されることになる。
【００３８】
ビーム・スプリッタ８０が図１Ａに示すように配置された場合、順方向ビームは、波長フィルタ５０を２度通過した後、レーザ媒質１０にもう一度入射する前に、ビーム・スプリッタ８０に入射する。対照的に、逆方向ビームは、波長フィルタリングの前に、レーザ媒質１０から直接ビーム・スプリッタ８０に入射する。従って、ビーム・スプリッタ８０において、スペクトル純度の高い順方向ビームを外部と結合することができるが、パワーが低下することになり（レーザ媒質によって放出されるビームのパワーに対して）、一方、ビーム・スプリッタ８０において、スペクトル純度の低い逆方向ビームを外部と結合することができるが、パワーが低下することはない（レーザ媒質によって放出されるビームのパワーに対して）。
【００３９】
リング・レーザ装置からの光を外部と結合するためのもう１つのオプションは、第２の平行反射素子７０の表面の１つについて示すように、部分的に透過性になるようにして、平行反射素子６０及び７０のうちの少なくとも一方の表面の少なくとも１つを設けることである。順方向ビームは、結果として出射ビーム１１０になり、一方、逆方向ビームは、出射ビーム１２０になる。云うまでもないが、リング共振器からの光を外部に結合するため、代わりに、または、追加として、部分的に透過性になるように、平行反射素子６０及び７０の他の任意の反射表面を設けることも可能である。しかし、さらなる労力を制限するため、動かないようにして設けられた、または、外部との結合中に、少なくとも能動的に動作または移動しない、光路内のコンポーネントにおいて、外部との結合を行うのが望ましい。
【００４０】
逆方向ビームの外部と結合される部分をモニタするため、モニタ素子１００Ａ及び／又は１２０Ａを設けることが可能である。
【００４１】
大部分の空洞共振装置では、通常、順方向ビームと逆方向ビームのいずれか一方の強度が、もう一方よりも優勢になる。必ずある伝搬方向において優勢なビームを実現するため、光路に方向コントローラ４０を導入することが可能である。方向コントローラ４０は、順方向に進行するビームと逆方向に進行するビームに異なる減衰を施す。従って、減衰の少ない方向がより優勢になるようにすることが実現可能である。図１の例の場合、順方向ビームは、逆方向ビームに対してかなり優勢になるものと仮定する。リング共振器の優勢な方向がこうして決まると、とりわけ、所望の特性を備えた光の外部との結合を形成することが可能になる。すなわち、スペクトル純度の高い優勢な順方向ビームは、結果として出射ビーム９０になり、一方、ビーム・スプリッタ８０における多少「望ましくない」出射ビーム１００は、出射ビーム９０よりかなり劣勢になる。
【００４２】
もう１つの望ましい実施態様では、方向制御は、劣勢な逆方向ビームを制御ビームとして用いて、優勢な順方向ビームの光学特性を制御するために利用される。従って、逆方向ビームの特性は、順方向ビームを制御するために、ただし、順方向ビームの光学特性に悪影響を及ぼさないように、変更することが可能である。実施態様の１つ（図１には示されていない）では、逆方向ビームは、波長フィルタ５０の最大点波長からの優勢なモードの波長の偏差を制御するために、波長が変調される。こうした制御によって、モード・ホッピングを低減するか、または、回避することさえ可能である。偏差制御信号を導き出して、制御信号をフィードバックし、モードとフィルタ波長を同調させるための既知の制御機構を適用することが可能である。
【００４３】
図１Ｃには、リトローの幾何学構成を支援する構成が例示されている。図１Ａ及び図１Ｂの構成要素５０及び６０の代わりに、図１Ｃの構成要素が利用されるが、図１Ａ及び図１Ｂの残りの特徴を適宜用いることも可能である。この実施態様の場合、空間的に分離されたビーム（図１Ｃの左から入射する）が、結合されて、単一の、ただし、偏光の異なるビームになる。順方向ビーム／モードが、下方のビームの左から入射するものと仮定すると、偏光ビーム・コンバイナ１４０によって空間的にシフトされることになる。次に、順方向ビーム／モードの偏光が、ファラデー回転子１５０によってほぼπ／４だけ回転する。波長選択素子５０によって反射された後、ビームは、ファラデー回転子１５０によってもう一度ほぼπ／４だけ回転することになる。従って、ビームの偏光は、入射偏光に対してほぼπ／２だけ回転する。そのため、ビームは、オフセットを生じることなく、偏光ビーム・コンバイナ１４０を通過し、偏光は、ファラデー回転子１６０によってほぼ−π／２だけ逆回転する。従って、順方向ビームは、その初期偏光状態（下方ビームの左からの入射時における）に対して偏光が回転することなく、これらの素子を通過したが、空間的にはシフトされている。
【００４４】
次に、逆方向ビームが、左から入射する（ただし、上方ビームにおいて）ものと仮定すると、ファラデー回転子１６０によってほぼ−π／２だけ回転し、空間的オフセットを生じることなく、偏光ビーム・コンバイナ１４０を通過する。ファラデー回転子１５０は、ビームが波長選択素子５０に入射する前に、もう一度偏光をほぼπ／４だけ逆回転させる。ビームがファラデー回転素子１５０を２度目に通過した後、偏光は、再び初期状態になり、従って、ビームは、偏光ビーム・コンバイナ１４０によって空間的にシフトされることになる。従って、逆方向ビームは、その初期偏光状態（上方ビームの左からの入射時における）に対して偏光が回転することなく、これらの素子を通過したことになる。
【００４５】
実施態様の１つでは、ビームをどちらの方向に通過させるかについて、偏光依存性を有する波長選択素子５０が設けられている。波長選択素子５０の通過時における偏光状態が、順方向ビームと逆方向ビームでは異なるので、こうした偏光依存性を利用して、両方のビームに異なる減衰を施すことが可能になる。これは、後述するように、方向コントローラ４０の方向制御に加えて、または、それに代わるものとして、方向制御を施すために適用することも可能である。回折格子が波長選択素子５０として用いられる場合、回折格子５０の刻線及び偏光ビーム・コンバイナ１４０の配向は、例えば、逆方向モードの減衰を施すように選択することが可能である。
【００４６】
図２Ａには、方向コントローラ４０に関する第１の望ましい実施態様が例示されている。まず、順方向ビーム（方向コントローラ４０の左から入射する）について考察すると、π／４ファラデー回転子２００によって、順方向ビームの偏光が回転し、順方向ビームは、偏光ビーム・スプリッタ２２０をほぼ（完全に）透過する（矢印２４０で示す）ので、結果として、空間的にオフセットした部分ビーム（矢印２５０と逆方向に図２Ａの上方光路を進行する）が生じることはない。
【００４７】
図２Ａの描写から明らかなように、偏光ビーム・スプリッタ２２０には、偏光状態に従って入射ビーム（左側からの）をいくつかの部分に分割するための偏光ビーム分割素子（この場合、下方の対角線）と、偏光ビーム分割素子によって生じる両方の（部分）ビームを平行であるが、互いに空間的にオフセットするように向けるための反射素子（この場合、上方の対角線）が含まれている。右側から入射するビームは、反射され、然るべく分割される。
【００４８】
順方向ビームは、次に、吸収素子２７０（逆方向光路における）の光路長を補償するために用いることが可能な、非吸収コンポーネント２６０を通って進行する。次の素子２８０、例えば、位相変調器は、光路長を調整することによって、連続同調が実施される場合に、順方向の光路長をわずかに調整するために用いることが可能である。あるいはまた、素子２８０は、粗調整素子の分解能が不足する場合に、順方向モードの波長に微調整を施すために用いることも可能である。あるいはまた、素子２８０は、素子２９０（逆方向光路における）の光路長を補償するために用いることも可能である。
【００４９】
次に、順方向ビーム（矢印２４０で表示された）が、第２の偏光ビーム・スプリッタ２３０（機能面で、第１の偏光ビーム・スプリッタ２２０に対応するが、ここでは、逆方向に用いられる）に送られ、結果として、今や矢印２５０に対して逆方向に図２Ａの上方光路を進行する順方向ビームに空間的オフセットが生じることになる。順方向ビームの偏光は、第２の−π／４ファラデー回転子２１０によって逆回転するので、方向コントローラ４０を通過する前の偏光が保持される。偏光ビーム・スプリッタ２２０及び２３０の配向は、上述の光路を形成するように設計される。
【００５０】
逆方向ビーム（方向コントローラの右から入射する）が、−π／４ファラデー回転子２１０に通される。順方向ビームと逆方向ビームの偏光は、素子２１０と２３０の間で直交し、そのため、逆方向ビームが、上方光路において矢印２５０の方向に偏光ビーム・スプリッタ２３０を通過する（従って、逆方向ビームには空間的オフセットが生じない）。
【００５１】
逆方向モード（矢印２５０によって表示）の光路長を調整するために、移相器２９０を挿入することが可能である。さらに、または、代わりに、モード競合によって、順方向モードが選ばれるが、光パワーが大幅に劣るものの、逆方向モードも存在するようなやり方で、減衰素子２７０を用いて、逆方向モードを減衰させることも可能である。順方向モード及び逆方向モードの光路長がただ異なりさえすればよく、変調が施されない場合には、位相変調器２９０及び２８０を省略することができるのは明白である。そのため、素子２７０及び２６０の光路長は、望ましい光路長差が得られるように選択することが可能である。これは、例えば、ただ単に素子２６０を省略するだけで実施可能である。
【００５２】
図２Ｂには、逆方向モード及び順方向モードの光路長が異なる場合に用いるのが望ましい、方向コントローラ４０の第２の望ましい実施態様が例示されている。やはり、出射偏光に複屈折素子３１０の低速軸または高速軸（順方向モードの光路長が、逆方向モードより長くなるようにすべきか、あるいは、短くすべきかによって決まる）に沿った配向が施されるように、順方向ビーム（左側から入射する）がπ／４ファラデー回転子２００を透過させられる。複屈折素子３１０を通過すると、引き続き、偏光子３００が設けられているが、これは、順方向モードが、ほとんど減衰せずに、通過するような配向が施されている。再度、偏光を逆回転させて、もとの配向に戻すため、−π／４ファラデー回転子２１０が利用される。
【００５３】
逆方向ビーム（右側から入射する）が、素子２１０と３００の間における偏光の配向が、この時点で、高速軸に向けられるように（順方向ビームが複屈折素子３１０の低速軸に向けられていた場合）、あるいは、その逆になるように、−π／４ファラデー回転子２１０を透過させられる。ただし、透過される偏光の配向が、逆方向ビームの偏光とほぼ直交するので、素子３１０を通って進行する前に、偏光子３００によって、逆方向ビームは減衰させられる。逆方向ビームは、次に、複屈折素子３１０を透過させられ、偏光が、π／４ファラデー回転子２００によって逆回転させられて、入射偏光に戻される。方向コントローラ４０の光路長差は、素子３１０の幾何学光路長に低速軸と高速軸の屈折率の差を掛けたものとして表わすことが可能である。偏光子３００の代わりに、他の任意のタイプの二色性素子を適宜用いることも可能である。二色性という用語は、入射ビームの２つの直交するＰ状態成分の一方の選択吸収を表わすものとする（例えば、Ｈｅｃｈｔ、「Ｏｐｔｉｃｓ」、第３版、３２７頁参照）。
【００５４】
実施態様の１つでは、順方向または逆方向光路の一方の光路長がもう一方に対して変化させられる。従って、順方向ビームと逆方向ビームのモード間における波長のオフセットを実現することが可能である。望ましい実施態様の場合、こうした波長のオフセットは、調整できるように設計される。さて、これについては、図３に一例として示される。波長選択素子５０は、波長λ0で最大となる特性形状４００を備えている。変調に対するそれぞれのモード位置（特性形状４００に関する）の影響が、リング共振器の３つの異なる順方向モード４１０、４２０、及び、４３０について描かれる。ここでのこの例におけるモード４１０は、波長選択素子５０のλ0における最大透過に対してちょうど中心に位置することになるが、モード４２０及び４３０は、λ0に対してオフセットしている。
【００５５】
それぞれ、波長位置４１１及び４１２、４２１及び４２２、及び、４３１及び４３２間の時間にわたる逆方向モード（順方向モード４１０、４２０、及び、４３０に対応する４１０Ａ、４２０Ａ、及び、４３０Ａ）の変調は、それに応じて、その時間にわたる逆方向モードのそれぞれの出射パワーの変調を生じることになる（グラフ４１０Ｂ、４２０Ｂ、及び、４３０Ｂによって表示）。
【００５６】
図３の下方図には、逆方向モードの復調出力信号４４０の振幅の例が示されている。変調の中心位置がフィルタ曲線４００の中心波長λ0に正確に一致する場合、復調信号４４０は消失する。さらに、振幅符号が、ちょうどその点で変化し、振幅は、中心波長からの偏差に比例して単調に増大する。従って、例えば、動作中におけるモード・ホッピングを低減または回避するため、この信号４４０を利用して、波長フィルタの中心波長、または逆方向モード及び順方向モードの両モードの波長、のうちの少なくとも一方の変調を制御することが可能である。
【００５７】
もう１つの実施態様の場合、逆方向モードの波長が、その対応する順方向モードの波長に対してシフトされるので、例えば、順方向モード４１０に対応する逆方向モードの波長は、位置４１１または４１２に向かってわずかにシフトされる（及び／または、順方向モード４２０に対応する逆方向モードの波長は、位置４２１または４２２に向かってわずかにシフトされ、及び／または、順方向モード４３０に対応する逆方向モードの波長は、位置４３１または４３２に向かってわずかにシフトされる）。対応する順方向モード及び逆方向モードの（できれば、正規化された）出射パワー（最大値に関する）間の差は、結果として４４０と同様の形状を生じることになり、例えば、順方向モードが中心波長λ0の左右いずれにシフトしているかを検出するために利用可能である。再び、動作中におけるモード・ホッピングを低減または回避するため、対応する補正を施すことが可能である。上述の変調の代わりに、または、それに加えて、逆方向モードと順方向モード間におけるこうした波長シフトを適用することも可能であることは明らかである。
【００５８】
もう一度図１Ｂに戻ると、望ましい動作モードが例示されている。前述のリットマンのアーキテクチャに従うと、理論的に、回折格子５０の光学面５０Ａ、第１の平行反射素子６０の光学面６０Ａ、及び、第２の平行反射素子７０の光学面７０Ａの交差によって形成される回転軸１３０まわりで、平行反射素子６０及び７０と、回折格子５０の少なくともいずれか１つを回転させると、理論的にモード・ホッピングのない連続波長調整を実現することが可能になる。前述の文献のいくつかに詳述されているように、実際の回転軸の理論的回転軸１３０からの偏差は、結果として、波長掃引中にモード・ホッピングを生じる可能性がある。しかし、前述の文献のいくつかに詳述されている適正な補正を然るべく適用することによって、とりわけ、光路長または波長選択素子の最大透過波長を調整することが可能である。しかし、理想の幾何学構成を考慮すると、回転軸１３０まわりで第１及び第２の平行反射素子６０及び７０または回折格子５０の少なくとも１つを回転させることによって、モード・ホッピングを生じることなく、光ビームの連続波長調整が可能になる。
【００５９】
リットマンの幾何学構成に従う代わりに、例えば、前述のリトローの幾何学構成のような他の幾何学構成を適宜用いることも可能である。モード・ホッピングを許容できる場合、及び／または、全波長調整範囲が制限される場合、及び／または、波長フィルタ５０の特性と有効光路長によって決まるモード波長との同調が、別のやり方で実現される場合、他の任意のアーキテクチャまたは幾何学構成を適宜用いて、リング共振器の波長を調整することが可能である。
【図面の簡単な説明】
【００６０】
【図１Ａ】リットマンの幾何学構成に従った、本発明による望ましい実施態様を例示した主平面図である。
【図１Ｂ】３次元構成を示す図１Ａの実施態様の側面図である。
【図１Ｃ】リトローの幾何学構成を利用した場合に適用可能な望ましい平行反射構成を示す図である。
【図２Ａ】方向コントローラに関する望ましい実施態様を表わした図である。
【図２Ｂ】方向コントローラに関する望ましい実施態様を表わした図である。
【図３】変調または波長シフトを利用したモード制御を例示する図である。
【符号の説明】
【００６１】
１０：レーザ利得媒質
４０：方向コントローラ
５０：波長フィルタ
６０、７０：平行反射素子
８０：ビーム・スプリッタ
【図１Ａ】
2005529497.tif 000003
【図１Ｂ】
2005529497.tif 000004
【図１Ｃ】
2005529497.tif 000005
【図２Ａ】
2005529497.tif 000006
【図２Ｂ】
2005529497.tif 000007
【図３】
2005529497.tif 000008
【手続補正書】
【提出日】平成16年12月7日(2004.12.7)
【手続補正１】
【補正対象書類名】特許請求の範囲
【補正対象項目名】全文
【補正方法】変更
【補正の内容】
【特許請求の範囲】
【請求項１】
閉ループに相当する光路を進行する光ビームを発生するようになっているリング・レーザ装置であって、
前記光路に結合され、誘導放出による光ビームの増幅を行うレーザ利得媒質（１０）と、
前記光路に結合され、該光路に沿って進行する前記光ビームに対して波長選択を施す波長フィルタ（５０）と、
前記光路の光路長を変更するようになっている光路長変更素子（６０）と、
を備え、前記光路長変更素子（６０）が、前記波長フィルタによって施される前記波長選択の変更と前記光路長との調整及び／または同調のため、前記波長フィルタ（５０）に結合されている、リング・レーザ装置
【請求項２】
前記波長フィルタ（５０）と前記光路長変更素子（６０）との結合が、リットマン幾何学構成またはリトロー幾何学構成の一方の原理に従ってリング・レーザの幾何学構成を設計することによって施される、請求項１に記載のリング・レーザ装置。
【請求項３】
前記波長フィルタ（５０）と前記光路長変更素子（６０）との結合が、前記波長フィルタ（５０）並びに前記光路長変更素子（６０）の働きを制御する制御ユニットを用いて施される、請求項１または上述の請求項のいずれか１項に記載のリング・レーザ装置。
【請求項４】
前記制御ユニットの制御が、モード・ホッピングのほとんどない波長調整を実現するため、リング・レーザの前回の動作から導き出された所定のパラメータ設定に基づいている、請求項３に記載のリング・レーザ装置。
【請求項５】
前記制御ユニットが、発生する可能性のあるモード・ホッピングの兆候を検出するため、前記光ビームを直接モニタし、こうしたモード・ホッピングの発生を回避するため、対抗措置に着手する、請求項３または上述の請求項のいずれか１項に記載のリング・レーザ装置。
【請求項６】
前記対抗措置が、前記光路長を現在の波長フィルタ特性に合わせて調整することと、前記波長フィルタを現在の光路長に合わせて調整することとの少なくとも１つである、請求項５に記載のリング・レーザ装置。
【請求項７】
結果として、対応する光ビームの波長が変調されるように、前記光路長を調整するようになっている調整器と、
前記波長フィルタ（５０）の前記フィルタ特性の波長、できれば、局所的最大透過のようなフィルタ極値の波長からの前記光ビームの波長の偏差を表す誤差信号を導き出すようになっている信号解析ユニットと、
をさらに備えている、請求項１または上述の請求項のいずれか１項に記載のリング・レーザ装置。
【請求項８】
前記光路の順方向に進行する主ビームが得られるようにするために前記光路に結合された方向コントローラ（４０）をさらに備えている、請求項１または上述の請求項のいずれか１項に記載のリング・レーザ装置。
【請求項９】
前記方向コントローラ（４０）が、前記順方向と逆の方向に進行する逆方向ビームを前記順方向ビームに対して減衰させる、請求項８に記載のリング・レーザ装置。
【請求項１０】
前記光路の一方の方向に進行する逆方向ビームが、前記光路の逆方向に進行する順方向ビームの少なくとも１つの特性を制御するために利用される、請求項１または上述の請求項のいずれか１項に記載のリング・レーザ装置。
【請求項１１】
前記逆方向ビームが、できれば、モード・ホッピングを低減、回避、または、誘発するため、前記順方向ビームの特性のモニタに利用される、請求項１０に記載のリング・レーザ装置。
【請求項１２】
前記逆方向ビームが、光パワーの弱いビームとして選択される、請求項１０または上述の請求項のいずれか１項に記載のリング・レーザ装置。
【請求項１３】
結果として、前記逆方向ビームの波長が変調されるように、前記逆方向ビームの光路長を調整するようになっている調整器と、
結果生じる逆方向モードの強度変動から、制御信号を導き出すようになっている信号解析ユニットと、
前記導き出された制御信号に基づいて、前記順方向ビームの波長に制御を施すため、前記導き出された制御信号を受信するようになっている順方向制御ユニットと、
を備えている、請求項１０または上述の請求項のいずれか１項に記載のリング・レーザ装置。
【請求項１４】
前記順方向制御ユニットが、前記光路長と前記波長フィルタの最大透過点波長の少なくとも一方を、前者については、前記波長フィルタ（５０）の波長特性の現在の設定によって前記順方向ビームの波長を変調するため、また、両者について、できれば、モード・ホッピングを回避または低減するために変更するようになっている、請求項１３に記載のリング・レーザ装置。
【請求項１５】
前記順方向ビームの波長に対して、前記逆方向ビームの波長をオフセットさせるようになっている波長オフセット・ユニットをさらに備えている、請求項１３または上述の請求項のいずれか１項に記載のリング・レーザ装置。
【請求項１６】
前記波長オフセット・ユニットが、前記順方向の光路長に対して、前記逆方向の光路長を変更するようになっている、請求項１５に記載のリング・レーザ装置。
【請求項１７】
前記波長オフセット・ユニットによって、前記光ビームが順方向および逆方向に少なくとも部分的に分離され、前記分離されたビームの少なくとも一方の光路長が変更される、請求項１６に記載のリング・レーザ装置。
【請求項１８】
前記分離が、空間的に分離することと、異なる偏光を少なくとも部分的に利用するが、前記逆方向ビーム及び前記順方向ビームに関して幾何学光路を同じに保つことと、のうちの少なくとも一方によって施される、請求項１６に記載のリング・レーザ装置。
【請求項１９】
前記光路長の変更が、少なくとも部分的に屈折率または前記幾何学光路長を変更することと、両方のビームの偏光状態が異なるその光路部分に複屈折素子を利用することと、のうちの少なくとも一方によって施される、請求項１６または上述の請求項のいずれか１項に記載のリング・レーザ装置。
【請求項２０】
前記波長フィルタ（５０）のフィルタ最大からの前記主ビームの偏差の変化方向を検出するようになっている方向検出器をさらに備えている、請求項１５または上述の請求項のいずれか１項に記載のリング・レーザ装置。
【請求項２１】
前記順方向モードの波長が前記波長フィルタのフィルタ最大点波長とほぼ一致する場合に、前記逆方向モードの波長が、前記フィルタ特性が波長に対してより強い依存性を示す範囲内で選択されるやり方で、前記順方向ビームと前記逆方向ビームの波長間におけるオフセットが選択される、請求項１５または上述の請求項のいずれか１項に記載のリング・レーザ装置。
【請求項２２】
前記方向検出器が、前記逆方向ビームの強度変動の推移、または、順方向ビームと逆方向ビームの強度比の変化の少なくとも一方に基づいて、前記フィルタ最大からの偏差の方向変化を検出するようになっている、請求項２０または上述の請求項のいずれか１項に記載のリング・レーザ装置。
【請求項２３】
入射ビームを受光し、それに応えてビームを反射するようになっている平行反射素子（６０、７０）をさらに具備し、該反射ビームは、前記入射ビームとほぼ平行であるが、前記入射ビームから空間的に分離される、請求項１または上述の請求項のいずれか１項に記載のリング・レーザ装置。
【請求項２４】
前記平行反射素子（６０、７０）が、適切な配置を施された反射表面、レンズと反射表面の組み合わせ、少なくとも２つの組み立て平面鏡、少なくとも１つの円形または円筒形レンズ、及びミラー、二面体素子、三面体素子、反射メカニズムが、屈折率が高値から低値に変化する界面において全反射であり、入射角が全反射の角度を超えるプリズム、及び／または、３つの反射板を有し、そのうちの２つが平行に配置され、１つが前記平行反射板に対して垂直に配置されて、前記反射ビームが、前記入射ビームに対して平行であるが、逆方向に伝搬するようになっている再帰反射体、のうちの少なくとも１つを備えている、請求項２３に記載のリング・レーザ装置。
【請求項２５】
前記平行反射素子（６０、７０）の反射表面が、入射ビームと出射ビームとの間の空間的分離を確保するため、前記光ビームの入射面積に対して、広い面積になるように設けられる、請求項２３または上述の請求項のいずれか１項に記載のリング・レーザ装置。
【請求項２６】
２つの平行反射素子（６０、７０）を、該平行反射素子（６０、７０）の第１の素子から送り出されたビームが、前記平行反射素子の第２の素子によって受光され、空間的に分離された状態で、前記平行反射素子の前記第１の素子に戻されるように配置して、リング共振器の閉ループが設けられる、請求項２３または上述の請求項のいずれか１項に記載のリング・レーザ装置。
【請求項２７】
前記閉ループ全体にわたるように配置された２つの平行反射素子（６０、７０）を備えている、請求項２３または上述の請求項のいずれか１項に記載のリング・レーザ装置。
【請求項２８】
前記波長フィルタ（５０）が、前記光路内に配置されており、前記リング共振器内の１つのループを進行する前記光ビームが、少なくとも１回は、前記波長フィルタを通過するようになっている、請求項１または上述の請求項のいずれか１項に記載のリング・レーザ装置。
【請求項２９】
前記リング共振器の前記光路内の前記レーザ・ビームの一部を外部と結合するための出力（９０、１００、１１０、１２０）をさらに備えている、請求項１または上述の請求項のいずれか１項に記載のリング・レーザ装置。
【請求項３０】
前記出力（９０、１００、１１０、１２０）が、前記レーザ・ビームの一部を外部と結合するために前記光路に導入されたビーム・スプリッタ（８０）を備えている、請求項２９に記載のリング・レーザ装置。
【請求項３１】
前記ビーム・スプリッタ（８０）が、前記波長フィルタを少なくとも１度通過した後、前記レーザ媒質（１０）に戻る前に、前記順方向ビームの一部を外部と結合するために、前記光路に導入される、請求項３０に記載のリング・レーザ装置。
【請求項３２】
前記出力（９０、１００、１１０、１２０）が、前記波長フィルタとして用いられる回折格子と、少なくとも部分的に透過性の少なくとも１つの反射表面によって生じる０次ビームとの少なくとも一方によって得られる、請求項２９または上述の請求項のいずれか１項に記載のリング・レーザ装置。
【請求項３３】
前記平行反射素子（６０、７０）が、前記光路を進行する前記ビームの一部を外部と結合するための少なくとも１つの反射表面を備えている、請求項２３または上述の請求項のいずれか１項に記載のリング・レーザ装置。
【請求項３４】
前記波長フィルタが回折格子（５０）で構成されることと、
前記回折格子（５０）からの第１の回折ビームが、該第１の回折ビームに対してほぼ平行であるが、それから空間的に分離されている、前記回折格子（５０）に向かう第１の戻りビームを生じるようになっている第１の平行反射素子（６０）の入力に送られることと、
前記第１の戻りビームが、前記回折格子（５０）に向かって送られ、該回折格子によって回折されて、２度回折されたビームとして、第２の平行反射素子（７０）に送られることと、
前記第２の平行反射素子（７０）が、前記２度回折されたビームを受光して、それに対して平行であるが、空間的にそれから分離されたビームを前記回折格子に送ることによって、前記リング共振器のループを閉じるように構成されている、請求項１または上述の請求項のいずれか１項に記載のリング・レーザ装置。
【請求項３５】
前記２つの平行反射素子（６０、７０）及び前記回折格子（５０）のうちの少なくとも１つの素子が、前記２つの平行反射素子と前記回折格子とによって形成される光学面の交差によって理論的に決まる回転軸まわりを少なくとも部分的に回転することができるように設けられる、請求項３４に記載のリング・レーザ装置。
【請求項３６】
前記理論的に決まる回転軸からの実際の回転軸の偏差を補償するようになっている少なくとも１つの補償器をさらに備えている、請求項３４または上述の請求項のいずれか１項に記載のリング・レーザ装置。
【請求項３７】
前記補償が、モードを選択するためのフィルタ曲線の変更と、リング共振器の光路長の変更との少なくとも一方によって施される、請求項３６に記載のリング・レーザ装置。
【請求項３８】
前記フィルタ曲線の変更が、少なくとも１つのレーザ・モードを選択するための分散素子を移動させることと、分散素子の分散特性を変更することと、該分散素子の周期性を変更することと、前記分散素子に入射するビームの方向を変更することと、再帰反射分散素子を移動させることと、のうちの少なくとも１つによって施される、請求項３７に記載のリング・レーザ装置。
【請求項３９】
前記光路長の変更が、空洞共振器構成要素の１つを移動させて前記幾何学光路長を変化させることと、前記平行反射素子の少なくとも１つを移動させることと、前記光ビームに対してほぼ垂直に光学楔のような光学素子を移動させることと、外部パラメータによって、前記空洞共振器構成要素の少なくとも１つの光路長を制御することと、外部パラメータによって、光学アクティブ軸の配向を制御することと、のうちの少なくとも１つによって施される、請求項３７に記載のリング・レーザ装置。
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
閉ループに相当する光路を進行する光ビームを発生するようになっているリング・レーザ装置であって、
前記光路に結合され、誘導放出による光ビームの増幅を行うレーザ利得媒質と、
前記光路に結合され、該光路に沿って進行する前記光ビームに対して波長選択を施す波長フィルタと、
前記光路の光路長を変更するようになっている光路長変更素子と、
を備え、前記光路長変更素子が、前記波長フィルタによって施される前記波長選択の変更と前記光路長との調整及び／または同調のため、前記波長フィルタに結合されている、リング・レーザ装置
【請求項２】
前記波長フィルタと前記光路長変更素子との結合が、リットマン幾何学構成またはリトロー幾何学構成の一方の原理に従ってリング・レーザの幾何学構成を設計することによって施される、請求項１に記載のリング・レーザ装置。
【請求項３】
前記波長フィルタと前記光路長変更素子との結合が、前記波長フィルタ並びに前記光路長変更素子の働きを制御する制御ユニットを用いて施される、請求項１または２に記載のリング・レーザ装置。
【請求項４】
前記制御ユニットの制御が、モード・ホッピングのほとんどない波長調整を実現するため、リング・レーザの前回の動作から導き出された所定のパラメータ設定に基づいている、請求項３に記載のリング・レーザ装置。
【請求項５】
前記制御ユニットが、発生する可能性のあるモード・ホッピングの兆候を検出するため、前記光ビームを直接モニタし、こうしたモード・ホッピングの発生を回避するため、対抗措置に着手する、請求項３または上述の請求項のいずれか１項に記載のリング・レーザ装置。
【請求項６】
前記対抗措置が、前記光路長を現在の波長フィルタ特性に合わせて調整することと、前記波長フィルタを現在の光路長に合わせて調整することとのうちの少なくとも１つである、請求項５に記載のリング・レーザ装置。
【請求項７】
結果として、対応する光ビームの波長が変調されるように、前記光路長を調整するようになっている調整器と、
前記波長フィルタの前記フィルタ特性の波長、できれば、局所的最大透過のようなフィルタ極値の波長からの前記光ビームの波長の偏差を表す誤差信号を導き出すようになっている信号解析ユニットと、
をさらに備えている、請求項１または上述の請求項のいずれか１項に記載のリング・レーザ装置。
【請求項８】
前記光路の順方向に進行する主ビームが得られるようにするために前記光路に結合された方向コントローラをさらに備えている、請求項１または上述の請求項のいずれか１項に記載のリング・レーザ装置。
【請求項９】
前記方向コントローラが、前記順方向と逆の方向に進行する逆方向ビームを前記順方向ビームに対して減衰させる、請求項８に記載のリング・レーザ装置。
【請求項１０】
前記光路の一方の方向に進行する逆方向ビームが、前記光路の逆方向に進行する順方向ビームの少なくとも１つの特性を制御するために利用される、請求項１または上述の請求項のいずれか１項に記載のリング・レーザ装置。
【請求項１１】
前記逆方向ビームが、できれば、モード・ホッピングを低減、回避、または、誘発するため、前記順方向ビームの特性のモニタに利用される、請求項１０に記載のリング・レーザ装置。
【請求項１２】
前記逆方向ビームが、光パワーの弱いビームとして選択される、請求項１０または上述の請求項のいずれか１項に記載のリング・レーザ装置。
【請求項１３】
結果として、前記逆方向ビームの波長が変調されるように、前記逆方向ビームの光路長を調整するようになっている調整器と、
結果生じる逆方向モードの強度変動から、制御信号を導き出すようになっている信号解析ユニットと、
前記導き出された制御信号に基づいて、前記順方向ビームの波長に制御を施すため、前記導き出された制御信号を受信するようになっている順方向制御ユニットと、
を備えている、請求項１０または上述の請求項のいずれか１項に記載のリング・レーザ装置。
【請求項１４】
前記順方向制御ユニットが、前記光路長と前記波長フィルタの最大透過点波長の少なくとも一方を、前者については、前記波長フィルタの波長特性の現在の設定によって前記順方向ビームの波長を変調するため、また、両者について、できれば、モード・ホッピングを回避または低減するために変更するようになっている、請求項１３に記載のリング・レーザ装置。
【請求項１５】
前記順方向ビームの波長に対して、前記逆方向ビームの波長をオフセットさせるようになっている波長オフセット・ユニットをさらに備えている、請求項１３または上述の請求項のいずれか１項に記載のリング・レーザ装置。
【請求項１６】
前記波長オフセット・ユニットが、前記順方向の光路長に対して、前記逆方向の光路長を変更するようになっている、請求項１５に記載のリング・レーザ装置。
【請求項１７】
前記波長オフセット・ユニットによって、前記光ビームが順方向および逆方向に少なくとも部分的に分離され、前記分離されたビームの少なくとも一方の光路長が変更される、請求項１６に記載のリング・レーザ装置。
【請求項１８】
前記分離が、空間的に分離することと、異なる偏光を少なくとも部分的に利用するが、前記逆方向ビーム及び前記順方向ビームに関して幾何学光路を同じに保つことと、のうちの少なくとも一方によって施される、請求項１６に記載のリング・レーザ装置。
【請求項１９】
前記光路長の変更が、少なくとも部分的に屈折率または前記幾何学光路長を変更することと、両方のビームの偏光状態が異なるその光路部分に複屈折素子を利用することと、のうちの少なくとも一方によって施される、請求項１６または上述の請求項のいずれか１項に記載のリング・レーザ装置。
【請求項２０】
前記波長フィルタのフィルタ最大からの前記主ビームの偏差の変化方向を検出するようになっている方向検出器をさらに備えている、請求項１５または上述の請求項のいずれか１項に記載のリング・レーザ装置。
【請求項２１】
前記順方向モードの波長が前記波長フィルタのフィルタ最大点波長とほぼ一致する場合に、前記逆方向モードの波長が、前記フィルタ特性が波長に対してより強い依存性を示す範囲内で選択されるやり方で、前記順方向ビームと前記逆方向ビームの波長間におけるオフセットが選択される、請求項１５または上述の請求項のいずれか１項に記載のリング・レーザ装置。
【請求項２２】
前記方向検出器が、前記逆方向ビームの強度変動の推移、または、順方向ビームと逆方向ビームの強度比の変化の少なくとも一方に基づいて、前記フィルタ最大からの偏差の方向変化を検出するようになっている、請求項２０または上述の請求項のいずれか１項に記載のリング・レーザ装置。
【請求項２３】
入射ビームを受光し、それに応えてビームを反射するようになっている平行反射素子をさらに具備し、該反射ビームは、前記入射ビームとほぼ平行であるが、前記入射ビームから空間的に分離される、請求項１または上述の請求項のいずれか１項に記載のリング・レーザ装置。
【請求項２４】
前記平行反射素子が、適切な配置を施された反射表面、レンズと反射表面の組み合わせ、少なくとも２つの組み立て平面鏡、少なくとも１つの円形または円筒形レンズ、及びミラー、二面体素子、三面体素子、反射メカニズムが、屈折率が高値から低値に変化する界面において全反射であり、入射角が全反射の角度を超えるプリズム、及び／または、３つの反射板を有し、そのうちの２つが平行に配置され、１つが前記平行反射板に対して垂直に配置されて、前記反射ビームが、前記入射ビームに対して平行であるが、逆方向に伝搬するようになっている再帰反射体、のうちの少なくとも１つを備えている、請求項２３に記載のリング・レーザ装置。
【請求項２５】
前記平行反射素子の反射表面が、入射ビームと出射ビームとの間の空間的分離を確保するため、前記光ビームの入射面積に対して、広い面積になるように設けられる、請求項２３または上述の請求項のいずれか１項に記載のリング・レーザ装置。
【請求項２６】
２つの平行反射素子を、該平行反射素子の第１の素子から送り出されたビームが、前記平行反射素子の第２の素子によって受光され、空間的に分離された状態で、前記平行反射素子の前記第１の素子に戻されるように配置して、リング共振器の閉ループが設けられる、請求項２３または上述の請求項のいずれか１項に記載のリング・レーザ装置。
【請求項２７】
前記閉ループ全体にわたるように配置された２つの平行反射素子を備えている、請求項２３または上述の請求項のいずれか１項に記載のリング・レーザ装置。
【請求項２８】
前記波長フィルタが、前記光路内に配置されており、前記リング共振器内の１つのループを進行する前記光ビームが、少なくとも１回は、前記波長フィルタを通過するようになっている、請求項１または上述の請求項のいずれか１項に記載のリング・レーザ装置。
【請求項２９】
前記リング共振器の前記光路内の前記レーザ・ビームの一部を外部と結合するための出力をさらに備えている、請求項１または上述の請求項のいずれか１項に記載のリング・レーザ装置。
【請求項３０】
前記出力が、前記レーザ・ビームの一部を外部と結合するために前記光路に導入されたビーム・スプリッタを備えている、請求項２９に記載のリング・レーザ装置。
【請求項３１】
前記ビーム・スプリッタが、前記波長フィルタを少なくとも１度通過した後、前記レーザ媒質に戻る前に、前記順方向ビームの一部を外部と結合するために、前記光路に導入される、請求項３０に記載のリング・レーザ装置。
【請求項３２】
前記出力が、前記波長フィルタとして用いられる回折格子と、少なくとも部分的に透過性の少なくとも１つの反射表面によって生じる０次ビームとの少なくとも一方によって得られる、請求項２９または上述の請求項のいずれか１項に記載のリング・レーザ装置。
【請求項３３】
前記平行反射素子が、前記光路を進行する前記ビームの一部を外部と結合するための少なくとも１つの反射表面を備えている、請求項２３または上述の請求項のいずれか１項に記載のリング・レーザ装置。
【請求項３４】
前記波長フィルタが回折格子で構成されることと、
前記回折格子からの第１の回折ビームが、該第１の回折ビームに対してほぼ平行であるが、それから空間的に分離されている、前記回折格子に向かう第１の戻りビームを生じるようになっている第１の平行反射素子の入力に送られることと、
前記第１の戻りビームが、前記回折格子に向かって送られ、該回折格子によって回折されて、２度回折されたビームとして、第２の平行反射素子に送られることと、
前記第２の平行反射素子が、前記２度回折されたビームを受光して、それに対して平行であるが、空間的にそれから分離されたビームを前記回折格子に送ることによって、前記リング共振器のループを閉じるように構成されている、請求項１または上述の請求項のいずれか１項に記載のリング・レーザ装置。
【請求項３５】
前記２つの平行反射素子及び前記回折格子のうちの少なくとも１つの素子が、前記２つの平行反射素子と前記回折格子とによって形成される光学面の交差によって理論的に決まる回転軸まわりを少なくとも部分的に回転することができるように設けられる、請求項３４に記載のリング・レーザ装置。
【請求項３６】
前記理論的に決まる回転軸からの実際の回転軸の偏差を補償するようになっている少なくとも１つの補償器をさらに備えている、請求項３４または上述の請求項のいずれか１項に記載のリング・レーザ装置。
【請求項３７】
前記補償が、モードを選択するためのフィルタ曲線の変更と、リング共振器の光路長の変更との少なくとも一方によって施される、請求項３６に記載のリング・レーザ装置。
【請求項３８】
前記フィルタ曲線の変更が、少なくとも１つのレーザ・モードを選択するための分散素子を移動させることと、分散素子の分散特性を変更することと、該分散素子の周期性を変更することと、前記分散素子に入射するビームの方向を変更することと、再帰反射分散素子を移動させることと、のうちの少なくとも１つによって施される、請求項３７に記載のリング・レーザ装置。
【請求項３９】
前記光路長の変更が、空洞共振器構成要素の１つを移動させて前記幾何学光路長を変化させることと、前記平行反射素子の少なくとも１つを移動させることと、前記光ビームに対してほぼ垂直に光学楔のような光学素子を移動させることと、外部パラメータによって、前記空洞共振器構成要素の少なくとも１つの光路長を制御することと、外部パラメータによって、光学アクティブ軸の配向を制御することと、のうちの少なくとも１つによって施される、請求項３７に記載のリング・レーザ装置。
【国際調査報告】
2005529497.tif 000009
2005529497.tif 000010
2005529497.tif 000011
2005529497.tif 000012
2005529497.tif 000013
2005529497.tif 000014